(57)【特許請求の範囲】
【請求項１】
緩衝材からなるシート状の基材と、該基材の片面で長手方向両端に設けた端部粘
着剤層と、該端部粘着剤層と同じ面で前記基材の中央の短手方向の片側に設けた
中央粘着剤層と、該中央粘着剤層と対向する側に形成されるパッドと、前記端部粘
着剤層と前記中央粘着剤層に貼着した剥離シート、とでなる巻き爪パッド。
【請求項２】
シート状の基材と、該基材の片面の全面に設けた粘着剤層と、略長方形で短手方
向は前記基材の中央の短手方向より短く、長手方向は前記基材の長手方向より短く
形成したパッドと、該パッドの短手方向の一方の端部が前記粘着剤層の長手方向の
略中央の短手方向の一方の端部と同一面、又は、該同一面より一部突出させて貼着
し、以上により前記同一面と対向する側に中央粘着剤層と、前記粘着剤層の長手方
向両端に端部粘着剤層とが形成され、該端部粘着剤層と前記中央粘着剤層に貼着
した剥離シート、とでなる巻き爪パッド
【請求項３】
前記パッドの内部に薄板片よりなる矯正板を封入又は、前記パッドを袋状に形成
し、該袋状の開口部から前記矯正板を挿入できるようにした請求項１または請求項２
に記載の巻き爪パッド。
【請求項４】
前記巻き爪パッドを使用した状態で、さらに、前記基材のパッドとは反対の面と爪の
間に挿入することができる大きさに形成した薄板片よりなる矯正板と、該矯正板の挿
入状態を粘着により保持するための前記矯正板より大きい寸法に形成した粘着シー
トと、該粘着シートに貼着した剥離シートとでなる請求項１から請求項３のいずれかに
記載の巻き爪パッド。
【発明の詳細な説明】
【技術分野】
【０００１】  本発明は、爪と皮膚の間に挿入して痛みを緩和し、治療する巻き爪パッドに関する。
【背景技術】
【０００２】  重症な巻き爪に対しては、爪を切除する手術と矯正具による治療がある。
軽症な場合や進行の度合いにより、丸めた脱脂綿を爪と皮膚の間に詰めることで爪と皮膚を隔離させ、歩行や運動の際に指先に力を入れられるようにし、脱脂綿を通して爪を下から押し上げる状態を長期間続けることで徐々に改善させる治療が従来から行われている。
その脱脂綿に替わるものとして、各種の考案・発明がある。
特許文献１では、紐状のパッドを爪と皮膚の間に挿入する器具である。
特許文献２では、金属又はプラスチックの薄板を爪と皮膚の間に挿入し、粘着テープで止着するものである。
特許文献３では、プラスチックにより形成したコの字状の部分で爪を挟み接着し、更に矯正状態で接着剤により固定するものである。
【先行技術文献】
【特許文献】
【０００３】
【特許文献１】特開２００４−３２１５８６号公報
【特許文献２】実用新案登録第３０９１５１６号公報
【特許文献３】特許第３３９３８６５号公報
【発明の概要】
【発明が解決しようとする課題】
【０００４】  丸めた脱脂綿が、爪と皮膚の間の圧迫と摩擦により保持されているため、圧迫が弱い場合や靴下を着脱時の接触などで脱落することがある。
特許文献１では、紐状のパッドで前記脱脂綿と同じ保持方法のため、同じく脱落の問題がある。又、巻き爪と皮膚は線接触となっていることに対し、脱脂綿や紐状のパッドは略点接触により爪と皮膚を隔離するため、爪と皮膚が接触している全域を隔離することが難しい。
特許文献２では、爪の内側の薄い皮膚に接して硬質の薄板が存在するため、挿入時や外部からの接触で力がかかった時に薄板の角が皮膚に接触しないよう注意して使用する必要がある。
特許文献３では、爪を上部から引き上げる作用であり、爪と皮膚の間に部材を挿入して爪を下から押し上げるものではない。また、接着剤により長期間固定するため、事前に消毒薬の入った湯に足を漬け、よく乾かすなどの準備が必要である。
本発明の課題は、
１．巻き爪が皮膚を圧迫する程度に応じて段階的に対応可能にする。
２．爪と皮膚に対して面接触でパッドをあてがい接触面を広くする。
３．パッドが安定して長時間固定できるようにする。
４．矯正板が皮膚に触れることなく安全に使用できるようにする。
５．美容上の支障が無く、簡単に装着でき、安価で手軽に続けられるようにする。
以上により痛みを軽減させ、歩行を正常化し症状を改善させる巻き爪パッドを提供するにある。
【課題を解決するための手段】
【０００５】
[１]  緩衝材からなるシート状の基材と、該基材の片面で長手方向両端に設けた端
部粘着剤層と、該端部粘着剤層と同じ面で前記基材の中央の短手方向の片側に設
けた中央粘着剤層と、該中央粘着剤層と対向する側に形成されるパッドと、前記端部
粘着剤層と前記中央粘着剤層に貼着した剥離シート、とでなる巻き爪パッド。
[２]  シート状の基材と、該基材の片面の全面に設けた粘着剤層と、略長方形で短
手方向は前記基材の中央の短手方向より短く、長手方向は前記基材の長手方向よ
り短く形成したパッドと、該パッドの短手方向の一方の端部が前記粘着剤層の長手方
向の略中央の短手方向の一方の端部と同一面、又は、該同一面より一部突出させて
貼着し、以上により前記同一面と対向する側に中央粘着剤層と、前記粘着剤層の長
手方向両端に端部粘着剤層とが形成され、該端部粘着剤層と前記中央粘着剤層に
貼着した剥離シート、とでなる巻き爪パッド
[３]前記パッドの内部に薄板片よりなる矯正板を封入又は、前記パッドを袋状に形
成し、該袋状の開口部から前記矯正板を挿入できるようにした[１]又は[２]に記載の
巻き爪パッド。
[４]前記巻き爪パッドを使用した状態で、さらに、前記基材のパッドとは反対の面と
爪の間に挿入することができる大きさに形成した薄板片よりなる矯正板と、該矯正板
の挿入状態を粘着により保持するための前記矯正板より大きい寸法に形成した粘着
シートと、該粘着シートに貼着した剥離シートとでなる[１]から[３]のいずれかに記載の
巻き爪パッド。
【発明の効果】
【０００６】  本発明の巻き爪パッドは、軽症には請求項１又は２が適応し、やや進行した爪には請求項３が適応し、更に進行した爪には請求項４が適応することで症状に応じて対応できる。
爪と皮膚に面接触でパッドをあてがうことで巻き爪の略全部分を隔離できて痛みを軽減し、３箇所の粘着剤層により長時間固定でき、硬い矯正板が皮膚に接触せず安全で、簡単に装着でき安価で手軽に続けられることで症状を改善させられる。
請求項１によれば、シート状の緩衝材を基材とパッドに形成することで、基材専用の材料を省き製造原価を下げられる。
又、パッドと基体が一体のため強度が高く、両端を両手で持って爪と皮膚の間に挿入する際、力をかけて挿入でき、爪の圧迫が強くても挿入しやすい。中央粘着剤層は、爪と皮膚の間に挿入したパッドが外れないための抑えの役割を果たし、長時間固定できる。
請求項２によれば、基材にパッドを貼着したことで、硬い爪を基材が受け止め、皮膚に柔らかいパッドが接して保護する。
中央粘着剤層が、爪と皮膚の間に挿入したパッドが外れないための抑えの役割を果たし、長時間固定できる。
基材と同一面よりパッドを突出させたものは、皮膚にパッドが広く接することで感触がよい。また、後述する請求項４の矯正板が皮膚に触れないよう更に隔離できる。
請求項３によれば、パッドの内部に矯正板を設けることで、爪の圧迫が強い状態でも矯正板により皮膚を保護できる。
矯正板がパッドで覆われ、皮膚に接触することなく安全である。
矯正板が見えないため装着した部分が目立たず、美容上の外見を損なわずに矯正できる。
請求項４によれば、症状が進行している爪には、更に矯正板を挿入することで、皮膚を保護し、矯正の効果をあげられる。
又、矯正板を基材と爪の間に挿入するので、硬い矯正板が皮膚に接触することなく安全でスムーズに挿入でき、粘着シートで長時間固定できる。
【図面の簡単な説明】
【０００７】
【図１】  請求項１の実施例を示し、Ａは断面図であり、Ｂ・Ｃは平面図である。
【図２】  請求項２の実施例を示し、Ａは断面図であり、Ｂ・Ｃ・Ｄは平面図である。
【図３】  請求項３の実施例を示し、Ａ・Ｂは断面図であり、Ｃ・Ｄは平面図である。
【図４】  請求項１から３の使用方法を示す斜視図である。
【図５】  請求項４の使用方法を示す斜視図である。
【発明を実施するための形態】
【０００８】  （各実施例の共通事項）
緩衝材を用いた基材１およびパッド３の材質は、ガーゼ・織布・不織布・軟質樹脂などから選択する。
基材１の形状は、略長方形又は略楕円形などから選択する。
基材１の端部粘着剤層２および中央粘着剤層５とは反対の面は、平滑に形成する。
基材１の寸法は、長手方向が爪３１の生え際から先端までの長さの３倍から５倍の範囲内で、短手方向は爪３１の横幅の０．５倍から１．２倍の範囲でよい。
パッド３の寸法は、長手方向が爪３１の生え際から先端までの長さの１倍から２倍の範囲内で、短手方向は爪の横幅の０．３倍から０．６倍の範囲でよい。
対象者の大部分が適用できる寸法は、基材１の寸法は、長手方向が６０ミリから８０ミリ・短手方向が１０ミリから１５ミリの範囲が好適であり、パッド３の寸法は、長手方向が２０ミリから３０ミリ・短手方向が５ミリから１０ミリの範囲が好適である。
パッド３の長手方向の断面形状は、矩形・梯形・半円形・楔形などが適用できる。
パッド３の短手方向の断面形状は、前記長手方向と同様に適用できるが、楔形の場合は中央粘着剤層５側が高く反対側の短手方向の端部へ向けて低くなるよう形成する。
剥離シート４は両端の端部粘着剤層２にそれぞれ貼着する。
各部材の寸法や硬軟の程度は、症状や指の大きさにあわせて使用する。
基材１や端部粘着剤層２や中央粘着剤層５ならびに剥離シート４に用いられる材料は、絆創膏など人体に用いる公知の材料でよい。
【０００９】  図１は、（Ａ）が断面図であり、（Ｂ）が平面図であり、（Ｃ）が剥離シート４を貼着する前の平面図である。
緩衝材よりなるシート状の基材１の片面で長手方向両端を端部粘着剤層２にし、中央の短手方向の片側を中央粘着剤層５にすることで、中央部に略長方形のパッド３が形成される。中央粘着剤層５と端部粘着剤層２に剥離シート４を貼着する。
【００１０】  図２は、（Ａ）が断面図であり、（Ｂ）が平面図であり、（Ｃ）と（Ｄ）が剥離シート４を貼着する前の平面図である。
シート状の基材１の片面の全面に形成した粘着剤層２に、略長方形で短手方向は基材の短手方向より短く形成したパッド３と、該パッド３の短手方向端部を基材１の長手方向中央で短手方向の一方の端部とを同一面６として貼着し、該同一面６の反対側に形成される中央粘着剤層５と端部粘着剤層２に剥離シート４を貼着する。
（Ｄ）は、（Ｃ）に対し、基材１と短手方向が同一面６側の前記パッド３を、同一面６より突出７させたものである。
【００１１】  図３は（Ａ）がパッド３の内部に、金属又は合成樹脂あるいは紙で形成した矯正板２１を封入した断面図である。
（Ｂ）が基材１とパッド３の間に矯正板２１を接着した断面図であり、矯正板２１の寸法は、パッド３と同寸法で角を揃え接着する。又はパッド３の寸法より周囲を０．５ミリから２．０ミリの範囲で小さくし、パッド３の中央位置に矯正板２１を接着する。
（Ｃ）（Ｄ）は、平面図であり、矯正板２１の寸法をパッドの内側に入る寸法にし、袋状のパッド３あるいは基材１に設けた開口部８から矯正板２１を挿入する。
矯正板の材質は可塑性を有する金属又は合成樹脂が好適である。
【００１２】  図４は、使用方法を示す斜視図である。
Ａ．両側の剥離シート４を中央からはがし、
Ｂ．パッド３と端部粘着剤層２の間で折り返す。
Ｃ．両端部粘着剤層２と折り返した剥離シート４を重ねて両手の指４１でつまむ。
Ｄ．パッド３側を指方向に向け、パッド３の中央粘着剤層５と対向する側の短手方向端      部９を、爪３１と皮膚３２の間に当接させ長手方向前後にスライドさせながら、爪      ３１と皮膚３２の間に挿入する。
なお、挿入が困難な場合は、パッド３部分より薄い端部粘着剤層２と折り返した      剥離シート４を重ねた部分から挿入し、パッド３側にスライドさせて挿入する。
又はパッド３の断面形状を梯形又はドーム状あるいはクサビ状に形成したものを用      いパッド３の低い位置を爪３１と皮膚３２の間に挿入し、高い位置にスライドさせ      て挿入する。
Ｅ．指の腹側３５からの斜視図であり、パッド３を挿入した状態である。
Ｆ．両側の剥離シート４をはがし、端部粘着剤層２を指の先端部３３に貼着し、他の端      部粘着剤層を指の側面３４に貼着する。
Ｇ．装着完了を示す斜視図である。
【００１３】  図５は、図４に加え更に矯正板２１を用いる斜視図である。
Ａ．基材１と爪３１との間に、矯正板２１を挿入する。
Ｂ．粘着シート２２を、剥離シート４をはがして爪３１と矯正板２１を上から覆うよう    にし、指の先端部３３から指の側面３４に貼着する。
Ｃ．指先３３方向からの斜視図であり、装着完了の状態を示すものである。
矯正板２１、は金属又は合成樹脂あるいは紙で形成する。紙は硬質で表面が平滑なものが好適である。いずれも可塑性を有する材質にすることで指の形に沿う形にでき好適である。
矯正板２１の寸法は、パッド３の寸法と略同寸法でよい。ただし長手方向が長いほど手に持ちやすく操作しやすい。紙の場合は長く形成し、挿入後に適当寸法に鋏で切って調整すればよい。
矯正板２１の厚さは材質硬度により異なるが０．１ミリから１．０ミリの範囲で数種類ほど用意し症状により選択すればよい。
粘着シート２２は、矯正板２１の周囲より１０ミリから２０ミリ大きく形成する。
【００１４】  図３に示す矯正板２１を取り付けた巻き爪パッドの使用方法は、図４と同様である。
【産業上の利用可能性】
【００１５】  現代病である巻き爪に悩む多くの人達の要請に応えるものであり、将来にわたり大量需要が予測され、製造販売に産業上の利用可能性がある。
【符号の説明】
【００１６】１    基材
２    端部粘着剤層
３    パッド
４    剥離シート
５    中央粘着剤層
６    同一面
７    パットの突出部
８    パッドの開口部
２１  矯正板
２２  粘着シート
３１  爪
３２  皮膚
３３  指の先端部
３４  指の側面
３５  指の裏面
【図１】
0005776027.tif 000002
【図２】
0005776027.tif 000003
【図３】
0005776027.tif 000004
【図４】
0005776027.tif 000005
【図５】
0005776027.tif 000006